【手続補正書】
【提出日】平成24年2月20日(2012.2.20)
【手続補正１】
【補正対象書類名】明細書
【補正対象項目名】００１７
【補正方法】変更
【補正の内容】
【００１７】
前記ダウンロードレートステートは、前記放送機により前記コンテンツが放送される前記所定の伝送レートのモードが、前記所定の伝送レートと前記再生レートが同レートで同期がとれている等速ダウンロードであるか否かを示す情報を含み、前記再生制御手段は、前記受信手段により受信された前記メタデータに含まれる前記ダウンロードレートステートの内容に基づいて、前記プログレッシブ再生の開始が可能となる時刻を決定する。
【手続補正２】
【補正対象書類名】明細書
【補正対象項目名】００３９
【補正方法】変更
【補正の内容】
【００３９】
ステップＳ１２において、放送局１１は、コンテンツファイルを保持する。かかるステップＳ１２の処理を、コンテンツファイルアーカイブ処理と称する。放送局１１はまた、ダウンロード番組に関する各種情報（以下、メタデータと称する）もファイルとして保持する。
【手続補正３】
【補正対象書類名】明細書
【補正対象項目名】００７８
【補正方法】変更
【補正の内容】
【００７８】
この場合、ストレージ付き受信機２１Ａは、ダウンロード番組６１Ａの放送時間帯に、ステップＳ２３において、ダウンロード番組６１Ａを受信して、コンテンツファイルの形態でストレージ４４に蓄積させる。即ち、ステップＳ２３の処理として、上述した図２のステップＳ１５乃至Ｓ１７の処理が実行されて、ダウンロード番組６１Ａのコンテンツファイル（DLコンテンツ３１）がストレージ４４に蓄積される。
【手続補正４】
【補正対象書類名】明細書
【補正対象項目名】０１３１
【補正方法】変更
【補正の内容】
【０１３１】
なお、リアルタイム放送を目的とするため、図１４の例では、ステップＳ６１，Ｓ６２が採用されている。即ち、ダウンロード番組が予め製作されているならば、等速ダウンロードの場合であっても、図１４のステップＳ６１，６２の代わりに、図２のステップＳ１１，Ｓ１２を採用することができる。
【手続補正５】
【補正対象書類名】明細書
【補正対象項目名】０１３２
【補正方法】変更
【補正の内容】
【０１３２】
ステップＳ６３，Ｓ６４の各処理は、図２のＳ１３，Ｓ１４の各処理と基本的に同様の処理であるため、ここではその説明を省略する。
【手続補正６】
【補正対象書類名】明細書
【補正対象項目名】０１４９
【補正方法】変更
【補正の内容】
【０１４９】
３つ目のレート属性は、「等速DL」である。「等速DL」とは、ダウンロードレート（図１３等でいう放送ダウンロード）と再生レートが同レートで同期がとれているモード、即ち、上述した等速ダウンロードである。
【手続補正７】
【補正対象書類名】特許請求の範囲
【補正対象項目名】全文
【補正方法】変更
【補正の内容】
【特許請求の範囲】
【請求項１】
コンテンツをダウンロードする受信機を少なくとも対象として、所定の伝送レートで前記コンテンツを放送する放送手段と、
前記コンテンツのメタデータであって、前記受信機における再生レートに対する前記所定の伝送レートの状態を表すダウンロードレートステートを含むメタデータを生成する生成手段と
を備え、
前記放送手段は、さらに、前記生成手段により生成された前記メタデータを放送する
情報処理装置。
【請求項２】
前記メタデータは、さらに、前記受信機が前記コンテンツをダウンロードしながら再生するプログレッシブ再生が開始可能となるまでの、前記コンテンツのダウンロードの開始時刻からの遅延時間を示す情報を含む
請求項１に記載の情報処理装置。
【請求項３】
前記ダウンロードレートステートは、
前記放送手段により前記コンテンツが放送される前記所定の伝送レートのモードが、前記所定の伝送レートと前記再生レートが同レートで同期がとれている等速ダウンロードであるか否かを示す情報を含む
請求項１に記載の情報処理装置。
【請求項４】
前記ダウンロードレートステートは、さらに、前記モードが、
前記コンテンツのダウンロード開始時刻からダウンロード中の任意の経過時間の前記コンテンツのダウンロード情報量が、再生開始時刻から前記経過時間の前記コンテンツの再生完了情報量より少ない場合がある、という低速ダウンロードと、
前記コンテンツのダウンロード開始時刻からダウンロード中の任意の経過時間の前記コンテンツのダウンロード情報量が、再生開始時刻から前記経過時間の前記コンテンツの再生完了情報量より常に多い、という高速ダウンロードと、
前記等速ダウンロードと、
前記所定の伝送レートと前記再生レートの関係が不明の場合のモードである不定と
のうちの何れであるかを示す情報を含む
請求項３に記載の情報処理装置。
【請求項５】
コンテンツをダウンロードする受信機を少なくとも対象として、所定の伝送レートで前記コンテンツを放送する情報処理装置が、
前記コンテンツのメタデータであって、前記受信機における再生レートに対する伝送レートの状態を表すダウンロードレートステートを含むメタデータを生成し、
生成された前記メタデータを放送する
ステップを含む情報処理方法。
【請求項６】
コンテンツをダウンロードする受信機を少なくとも対象として、所定の伝送レートで前記コンテンツを放送する放送機を制御するコンピュータに、
前記コンテンツのメタデータであって、前記受信機における再生レートに対する伝送レートの状態を表すダウンロードレートステートを含むメタデータを生成し、
生成された前記メタデータを前記放送機から放送させる
ステップを含む制御処理を実行させるプログラム。
【請求項７】
ダウンロード対象のコンテンツが放送機から所定の伝送レートで放送された場合には前記コンテンツを受信し、前記コンテンツのメタデータであって、再生レートに対する前記所定の伝送レートの状態を表すダウンロードレートステートを含むメタデータが前記放送機から放送されたかまたは外部機器から送信された場合には前記メタデータを受信する受信手段と、
前記受信手段により前記コンテンツが受信されている最中に、前記再生レートで前記コンテンツを再生するプログレッシブ再生を、前記受信手段により受信された前記メタデータを用いて制御する再生制御手段と
を備える情報処理装置。
【請求項８】
前記メタデータは、さらに、前記プログレッシブ再生が開始可能となるまでの、前記コンテンツのダウンロードの開始時刻からの遅延時間を示す情報を含み、
前記再生制御手段は、前記受信手段による前記コンテンツの受信の開始時刻から前記遅延時間だけ経過した以降のタイミングで、前記プログレッシブ再生を開始させる
請求項７に記載の情報処理装置。
【請求項９】
前記ダウンロードレートステートは、
前記放送機により前記コンテンツが放送される前記所定の伝送レートのモードが、前記所定の伝送レートと前記再生レートが同レートで同期がとれている等速ダウンロードであるか否かを示す情報を含み、
前記再生制御手段は、前記受信手段により受信された前記メタデータに含まれる前記ダウンロードレートステートの内容に基づいて、前記プログレッシブ再生の開始が可能となる時刻を決定する
請求項７に記載の情報処理装置。
【請求項１０】
前記ダウンロードレートステートは、さらに、前記モードが、
前記コンテンツのダウンロード開始時刻からダウンロード中の任意の経過時間の前記コンテンツのダウンロード情報量が、再生開始時刻から前記経過時間の前記コンテンツの再生完了情報量より少ない場合がある、という低速ダウンロードと、
前記コンテンツのダウンロード開始時刻からダウンロード中の任意の経過時間の前記コンテンツのダウンロード情報量が、再生開始時刻から前記経過時間の前記コンテンツの再生完了情報量より常に多い、という高速ダウンロードと、
前記等速ダウンロードと、
前記所定の伝送レートと前記再生レートの関係が不明の場合のモードである不定と
のうちの何れであるかを示す情報を含む
請求項９に記載の情報処理装置。
【請求項１１】
前記再生制御手段は、前記受信手段により受信された前記メタデータに含まれる前記ダウンロードレートステートが、前記等速ダウンロードを示す情報であった場合、さらに、前記コンテンツをリアルタイム再生可能なコンテンツであることを、前記コンテンツの放送開始時刻とともに前記ユーザに提示する制御を行う
請求項９に記載の情報処理装置。
【請求項１２】
前記再生制御手段は、前記ユーザに提示する制御を行った後さらに、前記コンテンツの放送開始時刻以降に、前記コンテンツについての前記プログレッシブ再生に関する前記ユーザの操作を受け付ける制御を行い、前記ユーザにより再生の指示操作がなされた場合、前記受信手段に受信された前記コンテンツを、一旦キャッシュした後、前記伝送レートに同期する前記再生レートで再生させる制御を行う
請求項１１に記載の情報処理装置。
【請求項１３】
前記再生制御手段は、さらに、前記プログレッシブ再生の開始が可能となる再生開始可能時刻を、ユーザに提示する制御を行う
請求項７に記載の情報処理装置。
【請求項１４】
前記再生制御手段は、さらに、前記再生開始可能時刻以降に、前記コンテンツについての前記プログレッシブ再生に関するユーザ操作を受け付ける制御を行う
請求項１３に記載の情報処理装置。
【請求項１５】
所定の伝送レートで放送機から放送された、ダウンロード対象のコンテンツを受信する受信機が、
前記コンテンツのメタデータであって、再生レートに対する前記所定の伝送レートの状態を表すダウンロードレートステートを含むメタデータが前記放送機から放送されたかまたは外部機器から送信された場合には前記メタデータを受信し、
前記コンテンツが受信されている最中に前記再生レートで前記コンテンツを再生するプログレッシブ再生を、受信された前記メタデータを用いて制御する
ステップを含む情報処理方法。
【請求項１６】
所定の伝送レートで放送機から放送された、ダウンロード対象のコンテンツを受信する受信機を制御するコンピュータにが、
前記コンテンツのメタデータであって、再生レートに対する前記所定の伝送レートの状態を表すダウンロードレートステートを含むメタデータが前記放送機から放送されたかまたは外部機器から送信された場合には前記メタデータを受信し、
前記コンテンツが受信されている最中に前記再生レートで前記コンテンツを前記受信機が再生するプログレッシブ再生を、受信された前記メタデータを用いて制御する
ステップを含む制御処理を実行させるプログラム。
【請求項１７】
コンテンツをダウンロードする受信機を少なくとも対象として、所定の伝送レートで前記コンテンツを放送する放送手段と、
前記コンテンツのメタデータであって、前記受信機における再生レートに対する前記所定の伝送レートの状態を表すダウンロードレートステートを含むメタデータを生成する生成手段と
を備え、
前記放送手段は、さらに、前記生成手段により生成された前記メタデータを放送する
第１の情報処理装置と、
前記第１の情報処理装置から放送された前記コンテンツと前記メタデータを受信する受信手段と、
前記受信手段により前記コンテンツが受信されている最中に前記再生レートで前記コンテンツを再生するプログレッシブ再生を、前記受信手段により受信された前記メタデータを用いて制御する再生制御手段と
を備える第２の情報処理装置と
を含む情報処理システム。
【手続補正８】
【補正対象書類名】図面
【補正対象項目名】図２
【補正方法】変更
【補正の内容】
【図２】
2010219640.tif 000001
【手続補正９】
【補正対象書類名】図面
【補正対象項目名】図１４
【補正方法】変更
【補正の内容】
【図１４】
2010219640.tif 000002